(57)【要約】【課題】  映画や演劇鑑賞及びデスクワーク時、長時間着座の場合、足の浮腫みや疲れやだるさを感じる。そこで、座席前の足元の限られたスペースだけを使用し、非常時そのスペースが避難用通路にもなる事も鑑み、着座のままで、健全な血流の維持確保が可能になる発明品を安価で提供する事を課題とする。【解決手段】  足を置くことが出来る傾斜面を有する少なくとも１台以上の足置き台が、嵌合的に設けられ、収納状態にある座面下方から移動して着座者の足元に出現し、それらの台とベース台が連結構成されている足置き台を提供する。その傾斜面と立ち上がりに足を置く事により血液の循環が改善され、十分な血流の維持確保に貢献する。また片手で一瞬にして座席下方に、収納出来る軽量構造により、公共施設での災害時の安全性も確保した。【選択図】  図１
2007029672.tif 000002
【特許請求の範囲】
【請求項１】
この発明は、ベース台を座面下方に置くことが可能であって、所望される時、前記のベース台に嵌合的に設けられ、且つ足を載せることが出来る傾斜面を有する少なくとも１台以上の足載せ台が、座面下方から移動して着座者の足元に出てくるように構成されていることを特徴とする。
【請求項２】
足載せ台の移動は、スライド、回転、跳ね上げ等の手動、電動による請求項１に記載の足置き台。
【請求項３】
足置き台の傾斜面が湾曲している請求項１に記載の足置き台。
【請求項４】
足置き台の傾斜面に、立ち上がりを設けている請求項１に記載の足置き台。
【発明の詳細な説明】
【技術分野】
【０００１】  この発明は、長時間持続的に座席に座った時に、着座のままで足の浮腫みや疲れを和らげ、身体全体としての疲労感や脱力感を軽減させることを目的とする足置き台に関するものである。
【背景技術】
【０００２】  映画や演劇鑑賞及びデスクワーク時等、長時間持続的に着座した時に、限られたスペースだけでの制限された動きと成る為、脚部・臀部・背中などへの圧迫等により血液の循環が悪化し、足の浮腫みや疲れやだるさを感じるという現象となり、身体各部への負担が大きい。その為、企業側は、一部の座席に座席一体型の足置き台（例えば、特許文献１）が設置されているが、コスト面とスペース面とが大きな問題点となり、すべての座席を取り替えるに至っていない。【０００３】  又、足元に置くタイプ（例えば、特許文献２）や、各個人が携帯できるタイプ（例えば、特許文献３）の足置き台の場合、足元は、通路としても使用するので、これらのタイプは、その度ごとに移動させねばならず、その移動や再設置が着座のまま容易にできなければ、わずらわしいだけでなく、火災・地震等の非常時には、足を取られたり非難の邪魔に成ったりという点から、公共施設で普及するに至らない現状である。また、本発明の様に足載せ台が、座面下方から移動して着座者の足元に出てくるように構成されているものは、今まで無かった。
【特許文献１】  特許公開番号  ２００５−１０２９１７
【特許文献２】  特許公開番号  ２００３−３１２３５２
【特許文献３】  特許公開番号  ２００２−２５３３８２
【発明の開示】
【発明が解決しようとする課題】
【０００４】  この発明は、各自の座席前の足元の限られたスペースだけを使用し、着座のままで、足の浮腫みや疲れやだるさを感じることを直接的かつ即効的に和らげることにより、健全な血流の維持確保を課題とする。【０００５】  次に、この発明は、簡単な構造で材料費も後付け工事費も安価のすることにより、すべての座席に提供出来ることと、軽量化することから、片手で一瞬に収納することにより、公共施設での設置上の最大の問題点である非常時での安全性を高めることを課題とする
【課題を解決するための手段】
【０００６】  この発明は、足を載せることが出来る傾斜面を有する少なくとも１台以上の足載せ台が、嵌合的に設けられ入れ、収納状態にある座面下方から移動して着座者の足元に出て来て、ベース台とそれ以外の台とが連結構成されていることを特徴とする手段とした。【０００７】  この発明は、材料として、アクリル（プラスチック）、合成ゴム（樹脂）、天然ゴム、またはこれらの組合せが挙げられ、材料費、後付け工事費を安価かつ施工期間も短く出来ることと、構造の点から、非常時でも片手で簡単に収納出来るように構成されていることを特徴とする手段とした。
【発明の効果】
【０００８】  この足置き台を着座者の好みの位置まで移動させ、床から少し高さのある傾斜面とその立ち上がりと床とを踏みかえることにより、脚部・臀部・背中などの血液の循環が改善し、身体各部への負担までも軽減され、その結果、身体全体の疲労感や脱力感までも和らげられると考えられ、十分な血流の維持確保に、貢献できるという効果が得られる。【０００９】  本発明は、材料、構造の両面から安価かつ施工期間も短く出来る。その上非常時に、簡単に座席下方に収納出来ることにより、全世界の映画や演劇鑑賞用の全ての座席に普及した場合、安全性も高めるという効果が得られる。
【発明を実施するための最良の形態】
【００１０】  以下に、本発明の実施の形態を図面と符号に基づいて説明するにあたり、その典型例として３段入れ子式足置き台で進める。図１は３段入れ子式足置き台の所望される時の斜視図、図２は３段入れ子式足置き台の所望される時の側面図、図３は３段入れ子式足置き台の収納時の側面図、図４は３段入れ子式足置き台の分解斜視図、図５は図１の線Ａ−Ａの断面図、図６は本発明の足置き台１台と引き出し機との使用例でのその台の応用例の斜視図、図７は図１の符号５・６・７に突起のある応用例の斜視図であり、これらの図において、符号１は大台、符号２は中台、符号３は小台（ベース台）、符号４は大台引出し用穴、符号５は大台の足裏接地面（傾斜面）、符号６は大台の立ち上がり、符号７は中台の足裏接地面（傾斜面）、符号８は大台の傾斜角α、符号９は中台の傾斜角β、符号１０は大台傾斜支点（床からの踵の接地点までの高さ）、符号１１は座席、符号１２は床、符号１３は大台の戻り、符号１４は中台の返り、符号１５は突起を示す。【００１１】  ベース台から足元へ伸縮自在に移動し、望みの位置で設置可能な足置き台の数は、１台以上の複数台であるが、経費面と構造上の強度等により２台が最適であり、図１の３段入れ子式足置き台も含め、複数段入れ子式足置き台として任意に設計・製作・使用することが出来る。【００１２】  ２台以上の複数段入れ子式足置き台に於いて、ベース台から次の台に返り、戻りの順番でそれぞれの連結部にそれらを付けると、所望される時の台の移動後それらが噛み合うことで停止連結し、また入れ子方式で図３の様な収納状態に戻るように設計・製作・使用することが出来る。【００１３】  ２台以上の複数段入れ子式足置き台に於いて、図１の様な時と図３の様な時との間で足置き台のスムーズな移動が損なわない範囲に於いて、返りと戻りは、たれ壁と立ち上がり、溝、レール、蛇腹、ゴム等、またはこれらの組合せ、その他代用品の使用により可能とならしめる範囲での設計・製作・使用することが出来る。【００１４】  図２の符号８は、その設置場所が対象とする鑑賞者及び座面高によって、少なくとも５度から４５度迄とし、中でも最も心地よい角度は、発明者の実験により１７度から３０度であったので、この角度内で任意に設計・製作・使用することが出来る。【００１５】  図２の符号９は、その設置場所が対象とする鑑賞者、座面高及び、この中台が大台より身体に近いことも考慮すると、０度から４０度迄とし、中でも最も心地よい角度は、発明者の実験により９度から３０度であったので、この角度内で任意に設計・製作・使用することが出来る。【００１６】  図２の符号１０は、その設置場所が対象とする鑑賞者及び座面高によって、少なくとも床面から３ｃｍ以上２５ｃｍ迄の高さとし、中でも最も心地よい高さは、発明者の実験により６ｃｍから８ｃｍ迄であったので、この高さ内で任意に設計・製作・使用することが出来る。【００１７】  図１に於いて、所望される時、連結する傾斜面符号５・７は、鈍角か一直線になる様に任意に設計・製作・使用することが出来る。【００１８】  図１の符号６は、その頂点に丸みを付ける事により、その部分に足裏、特に土踏まずを載せた時に指圧効果も得ることが出来る様に任��に設計・製作・使用することが出来る。【００１９】  図１の符号３は、ベース台で座面下方の設置場所に図３の様に固定する台であり、所望される時２台の足置台を支え、また大・中の台の収納時入り子方式で、大中小と重なって収納出来るように任意に設計・製作・使用することが出来る。【００２０】  図３での符号３の設置方法は、金具、ボルト・ナット・ネジ、磁石、接着剤、接着テープ、オスメス・ファスナー、吸盤等、またはこれらの組合せとし、任意に設計・製作・使用することが出来る。【００２１】  図１の状態に於いて、摩擦係数を上げるため符号１・２の各底辺に、滑り止めを任意に設計・製作・使用することが出来る。【００２２】  図１時と図３時との間での足置き台の移動が、滑らか、且つ安定さを増す為に符号１・２の底辺を床面に対して返りを任意に設計・製作・使用することが出来る。【００２３】  図１に於いて、符号５・６・７に複数の突起物を設け、その数や形状も設置場所に応じて任意に設計・製作・使用することが出来る。【００２４】  また、図１の台に複数の突起物のあるものを敷くことも出来る。この場合の材料や突起物の数とその形状も前記と同じよう設置場所に応じて任意に設計・製作・使用することが出来る。【００２５】  図１の大台と中台は、噛み合い構造なので、図１の状態から大台のみを中台方向に少しスライドバックすれば、簡単に垂直方向に持ち上げることが出来、大台の容量が大きいことを利用し、荷物、靴、ブーツ等を入れられるので、映画・演劇鑑賞時座席を広く快適に使用できるように任意に設計・製作・使用することが出来る。【００２１】  図３の小台を座席下床面または階段状になっている設置可能壁面がある場合、そこに固定設置し、図３のようにする。その設置方法は、金具、ボルト・ナット・ネジ、磁石、接着剤、接着テープ、オスメス・ファスナー、吸盤等、またはこれらの組合せで設置場所に応じて任意に設計・製作・使用することが出来る。【００２２】  図１の符号５と符号７の形状は、四角に限定を受けることなく、台形、半円やその一部、半楕円やその一部、三角以上の多角形やその一部、またはこれらの組合せ、または両足が載れるスペースを確保したその他全ての形状で任意に設計・製作・使用することが出来る。【００２３】  図１の符号１、符号２の天井面への圧力に対し、符号５・７の傾斜面とそれぞれの左右の側面の接合部分に強度補強として、バットレス（支え壁）、補強金具等を任意に設計・製作・使用することが出来る。【００２４】  また、設置場所の雰囲気に合わせて、大台、中台に布（織物）、ゴム（樹脂）、またはこれらの組合せから成るカーペット状表面やラバー表面上に、暗くても認識しやすい蛍光塗料や蛍光素材や配色等で、装飾を施すよう設置場所に応じて任意に設計・製作・使用することが出来る。【００２５】  図１の３段入れ子式足置き台は、大台部分と強度に信頼性のある溝、レール、蛇腹、ゴム等、またはこれらの組合せを引き出し機として使用することで、座席下から大台とそれが出てくる構造に任意に設計・製作・使用することが出来る。【００２６】  また上記の場合は、応用例図６の符号５をこの台の下部から例えば、スライド、観音開き、戸開き構造等に加工することにより、この大台の容量が大きいことを利用し、荷物、靴、ブーツ等を入れられるので、映画・演劇鑑賞時座席を広く快適に使用できることも合わせて考慮して任意に設計・製作・使用することが出来る。【００２７】  以上、この発明は、これらの実施形態には限定されず、この請求項１から４の思想の範囲内に於いて色々なバリエイションを追加や変更することにより、任意に設計・製作・使用することが出来る。
【図面の簡単な説明】
【００２８】
【図１】  ３段入れ子式足置き台の所望される時の斜視図
【図２】  ３段入れ子式足置き台の所望される時の側面図
【図３】  ３段入れ子式足置き台の収納時の側面図
【図４】  ３段入れ子式足置き台の分解斜視図
【図５】  図１の線Ａ−Ａの断面図
【図６】  本発明の足置き台１台と引き出し機との使用例でのその台の応用例の斜視図
【図７】  図１の符号５・６・７に突起のある応用例の斜視図
【符号の説明】
【００２９】  １  大台
２  中台
３  小台（ベース台）
４  大台引き出し用穴
５  大台の足裏接地面（傾斜面）
６  大台の立ち上がり
７  中台の足裏接地面（傾斜面）
８  大台の傾斜角α
９  中台の傾斜角β
１０  大台傾斜支点（床からの踵の接地点までの高さ）
１１  座席
１２  床
１３  大台の戻り
１４  中台の返り
１５  突起
【図１】
2007029672.tif 000003
【図２】
2007029672.tif 000004
【図３】
2007029672.tif 000005
【図４】
2007029672.tif 000006
【図５】
2007029672.tif 000007
【図６】
2007029672.tif 000008
【図７】
2007029672.tif 000009
【手続補正書】
【提出日】平成17年8月5日(2005.8.5)
【手続補正１】
【補正対象書類名】特許請求の範囲
【補正対象項目名】請求項１
【補正方法】変更
【補正の内容】
【請求項１】
この発明は、ベース台を座面下方に置くことが可能であって、所望される時、前記のベース台に嵌合的に設けられ、且つ足を置くことが出来る傾斜面を有する少なくとも１台以上の足置き台が、座面下方から移動して着座者の足元に出てくるように構成されていることを特徴とする。
【手続補正２】
【補正対象書類名】特許請求の範囲
【補正対象項目名】請求項２
【補正方法】変更
【補正の内容】
【請求項２】
足置き台の移動は、スライド、回転、跳ね上げ等の手動、電動による請求項１に記載の足置き台。
【手続補正３】
【補正対象書類名】明細書
【補正対象項目名】全文
【補正方法】変更
【補正の内容】
【発明の詳細な説明】
【技術分野】
【０００１】  この発明は、長時間持続的に座席に座った時に、着座のままで足の浮腫みや疲れを和らげ、身体全体としての疲労感や脱力感を軽減させることを目的とする足置き台に関するものである。
【背景技術】
【０００２】  映画や演劇鑑賞及びデスクワーク時等、長時間持続的に着座した場合、限られたスペースだけでの制限された動きと成る為、脚部・臀部・背中などへの圧迫等により血液の循環が悪化し、足の浮腫みや疲れやだるさを感じるという現象となり、身体各部への負担が大きい。その為、企業側は、一部の座席に座席一体型の足置き台（例えば、特許文献１）が設置されているが、コスト面とスペース面とが大きな問題点となり、すべての座席を取り替えるに至っていない。【０００３】  又、足元に置くタイプ（例えば、特許文献２）や、各個人が携帯できるタイプ（例えば、特許文献３）の足置き台の場合、足元は、通路としても使用するので、これらのタイプは、その度ごとに移動させねばならず、その移動や再設置が着座のまま容易にできなければ、わずらわしいだけでなく、火災・地震等の非常時には、足を取られたり非難の邪魔に成ったりという点から、公共施設で普及するに至らない現状である。また、本発明の様に足置き台が、座面下方から移動して着座者の足元に出てくるように構成されているものは、今まで無かった。
【特許文献１】    特許公開番号    ２００５−１０２９１７
【特許文献２】    特許公開番号    ２００３−３１２３５２
【特許文献３】    特許公開番号    ２００２−２５３３８２
【発明の開示】
【発明が解決しようとする課題】
【０００４】  この発明は、各自の座席前の足元の限られたスペースだけを使用し、着座のままで、足の浮腫みや疲れやだるさを感じることを直接的かつ即効的に和らげることにより、健全な血流の維持確保を課題とする。【０００５】  次に、この発明は、材料費、後付け工事費を安価に提供出来る様にすることと、その上、簡単な構造で軽量化し、片手で一瞬に収納可能と成ることから、公共施設での設置上の最大の問題点である非常時での安全確保の妨げにならない様にすることを課題とする。
【課題を解決するための手段】
【０００６】  この発明は、足を置くことが出来る足裏接地面に傾斜及び踵部分に立ち上がりを有する少なくとも１台以上の足置き台が、嵌合的に設けられ、収納状態にある座面下方から移動して着座者の足元に出現し、それらの台とベース台が連結構成されていることを特徴とする手段とした。【０００７】  この発明は、材料として、アクリル（プラスチック）、合成ゴム（樹脂）、天然ゴム、またはこれらの組合せが挙げられ、材料費、後付け工事費を安価かつ施工期間も短く出来ることと、構造の点から、非常時でも片手で簡単に収納出来るように構成されていることを特徴とする手段とした。
【発明の効果】
【０００８】  この足置き台を着座者の好みの位置まで移動させ、床から少し高さのある傾斜面に足を置くことにより、脚部・臀部・背中などの血液の循環が改善し、身体各部への負担までも軽減され、その結果、身体全体の疲労感や脱力感までもが和らげられると考えられ、十分な血流の維持確保に、貢献できるという効果が得られる。【０００９】  本発明は、材料、構造の両面から安価で施工期間も短く出来る。その上非常時に、簡単に座席下方に収納出来ることにより、全世界の映画や演劇鑑賞用の全ての座席に普及した場合、安全確保を妨げないという効果が得られる。
【発明を実施するための最良の形態】
【００１０】  以下に、本発明の実施の形態を図面と符号に基づいて説明するにあたり、その典型例として３段入れ子式足置き台で進める。図１は３段入れ子式足置き台の所望される時の斜視図、図２は３段入れ子式足置き台の所望される時の側面図、図３は３段入れ子式足置き台の収納時の側面図、図４は３段入れ子式足置き台の分解斜視図、図５は図１の線Ａ−Ａの断面図、図６は本発明の足置き台１台と引き出し機との使用例でのその台の応用例の斜視図、図７は図１の符号５・６・７に突起のある応用例の斜視図であり、これらの図において、符号１は大台、符号２は中台、符号３は小台（ベース台）、符号４は大台引出し用穴、符号５は大台の足裏接地面（傾斜面）、符号６は大台の立ち上がり、符号７は中台の足裏接地面（傾斜面）、符号８は大台の傾斜角α、符号９は中台の傾斜角β、符号１０は大台傾斜支点（床からの踵の接地点までの高さ）、符号１１は座席、符号１２は床、符号１３は大台の戻り、符号１４は中台の返り、符号１５は突起を示す。【００１１】  この足を置く為の大・中台は、小台（ベース台）から足元へ伸縮自在に移動し、望みの位置で設置可能であり、その数は、１台でも複数台でも良いが、経費面と構造上の強度等により２台が最適であり、図１の３段入れ子式足置き台も含め、複数段入れ子式足置き台として任意に設計・製作・使用することが出来る。【００１２】  ２台以上の複数段入れ子式足置き台に於いて、ベース台から次の台に返り戻りの順番でそれぞれの連結部にそれらを付けると、所望される時の台の移動後それらが噛み合うことで停止連結し、また入れ子方式で図３の様な収納状態に戻るように設計・製作・使用することが出来る。【００１３】  ２台以上の複数段入れ子式足置き台に於いて、図１の様な時と図３の様な時との間で足置き台のスムーズな移動を損なわない範囲に於いて、返りと戻りは、たれ壁と立ち上がり、溝、レール、蛇腹、ゴム等、またはこれらの組合せ、その他代用品の使用により可能とならしめる範囲での設計・製作・使用することが出来る。【００１４】  図２の符号８は、その設置場所が対象とする着座者及び座面高によって、少なくとも５度から９０度までとする。中でも最も心地よい角度は、発明者の実験により１７度から３５度であったので、この角度内で任意に設計・製作・使用することが出来る。【００１５】  図２の符号９は、その設置場所が対象とする着座者及び座面高によって、少なくとも０度から９０度までとする。また、この中台が大台より身体に近いことも考慮し、中でも最も心地よい角度は、発明者の実験により９度から３５度であったので、この角度内で任意に設計・製作・使用することが出来る。【００１６】  図２の符号１０は、その設置場所が対象とする着座者及び座面高によって、少なくとも床面から３ｃｍ以上の高さとし、中でも最も心地よい高さは、発明者の実験により６ｃｍから８ｃｍ迄であったので、この高さ内で任意に設計・製作・使用することが出来る。【００１７】  図１に於いて、所望される時、連結する傾斜面符号５・７は、鈍角か一直線になる様に任意に設計・製作・使用することが出来る。【００１８】  図１の符号６は、その頂点に丸みを付ける事により、その部分に足裏、例えば��土踏まず等を当てた時に指圧効果も得ることが出来る様に任意に設計・製作・使用することが出来る。【００１９】  図１の符号３は、ベース台で座面下方の設置場所に図３の様に固定する台であり、所望される時２台の足置台を支え、また大・中の台の収納時入れ子方式で、大中小と重なって収納出来るように任意に設計・製作・使用することが出来る。【００２０】  図３の符号３を座席下床面、または階段状になっている取り付け可能壁面がある場合そこに固定設置する。その設置方法は、金具、ボルト・ナット・ネジ、磁石、接着剤、接着テープ、オスメス・ファスナー、吸盤等、またはこれらの組合せで設置場所に応じて任意に設計・製作・使用することが出来る。【００２１】  足置き台の収納時の奥行きは、座面が跳ね上がる座席の場合、その時の奥行きに応じて任意に決定し設計・製作・使用することが出来る。【００２２】  図１の状態に於いて、摩擦係数を上げるため符号１・２の各底辺に、滑り止めを任意に設計・製作・使用することが出来る。【００２３】  図１時と図３時との間での足置き台の移動が、滑らか、且つ安定さを増す為に床面に対して符号１・２の底辺に返りを任意に設計・製作・使用することが出来る。【００２４】  図１に於いて、符号５・６・７に複数の突起物を設け、その材料や数や形状も設置場所に応じて任意に設計・製作・使用することが出来る。【００２５】  また、図１の台に複数の突起物のあるものを敷くことも出来る。この場合の材料や数や形状も前記と同じように設置場所に応じて任意に設計・製作・使用することが出来る。【００２６】  図１の符号５・符号７と図６の符号５の形状は、図に限定を受けることなく、台形、半円やその一部、半楕円やその一部、三角以上の多角形やその一部、またはこれらの組合せ、または両足が載れるスペースを確保したその他全ての形状で任意に設計・製作・使用することが出来る。【００２７】  図１の符号１、符号２の天井面への圧力に対し、符号５・７の傾斜面とそれぞれの左右の側面の接合部分に強度補強として、バットレス（支え壁）、補強金具等を任意に設計・製作・使用することが出来る。【００２８】  図１の符号５・７上を、暗くても確認しやすい配色、蛍光塗料、蛍光素材等で直接加工することや、また布（織物）、ゴム（樹脂）、またはこれらの組合せから成るカーペット状表面やラバー表面上にそれらで加工したもので覆うことも設置場所に応じて任意に設計・製作・使用することが出来る。【００２９】  足置き台は、強度に信頼性のある溝、レール、蛇腹、ゴム等、またはこれらの組合せを移動手段として使用することで、座席下から図６の台が出てくる構造に任意に設計・製作・使用することが出来る。【００３０】  また上記の場合は、図６の符号５をこの台の下部から例えば、スライド、観音開き、戸開き構造等に加工することにより、この台の容量の大きさによっては、荷物、靴、ブーツ等を入れられるので、映画・演劇鑑賞時座席を広く快適に使用できることも合わせて考慮して任意に設計・製作・使用することが出来る。【００３１】  以上、この発明は、これらの実施形態には限定されず、この請求項１から４の思想の範囲内に於いて色々なバリエイションを追加や変更することにより、任意に設計・製作・使用することが出来る。
【図面の簡単な説明】
【００３２】
【図１】  ３段入れ子式足置き台の所望される時の斜視図
【図２】  ３段入れ子式足置き台の所望される時の側面図
【図３】  ３段入れ子式足置き台の収納時の側面図
【図４】  ３段入れ子式足置き台の分解斜視図
【図５】  図１の線Ａ−Ａの断面図
【図６】  本発明の足置き台１台と引き出し機との使用例でのその台の応用例の斜視図
【図７】  図１の符号５・６・７に突起のある応用例の斜視図
【符号の説明】
【００３３】  １  大台
２  中台
３  小台（ベース台）
４  大台引き出し用穴
５  大台の足裏接地面（傾斜面）
６  大台の立ち上がり
７  中台の足裏接地面（傾斜面）
８  大台の傾斜角α
９  中台の傾斜角β
１０  大台傾斜支点（床からの踵の接地点までの高さ）
１１  座席
１２  床
１３  大台の戻り
１４  中台の返り
１５  突起